(57)【要約】【課題】  より戦略性に富んだ面白みのある遊技機を提供すること。【解決手段】  遊技機１の報知手段は、第１の役と第２の役とが、同時に当選役として決定されたことを、同時当選報知ランプ１１０Ｒを点灯させることにより報知する。次ゲーム以降、報知手段は、第１の役に対応する図柄組合せが図柄表示手段により表示されるまでの間、第１の役が当選役として持ち越されていることを、ボーナス報知ランプを点灯させることにより報知する。したがって、第２の役と、当選役として持ち越される第１の役とが同時に当選役として決定された場合に、遊技者が、どちらの役に応じた停止操作を行うかは、遊技者が考える戦略による。このようにして、遊技を戦略性に富んだ面白みのあるものにできる場合がある。【選択図】        図３
2007029474.tif 000002
【特許請求の範囲】
【請求項１】
複数の図柄を表示する図柄表示手段と、
遊技者による操作に応じて遊技開始指令信号を出力する遊技開始指令手段と、
前記遊技開始指令手段からの前記遊技開始指令信号を検出したことを条件に、前記図柄表示手段により表示される図柄の変動を行う図柄変動手段と、
前記遊技開始指令信号の検知に基づいて、予め定められた複数の役から、同時に１つ以上の役を当選役として決定する当選役決定手段と、
遊技者による操作に応じて、前記図柄変動手段により行われる図柄の変動の停止を指令する信号を出力する停止信号出力手段と、
前記停止信号出力手段により出力された信号と、前記当選役決定手段により決定された当選役とに基づいて、前記図柄変動手段により行われる図柄の変動の停止制御を行う停止制御手段と、
前記複数の役の各々と対応して予め定められた図柄組合せが前記図柄表示手段により表示されると、前記各々の役に応じた利益を遊技者に付与する利益付与手段と、を備える遊技機であって、
前記複数の役は、前記利益付与手段により付与される利益が互いに異なる第１の役と、第２の役とを含み、
前記当選役決定手段が、前記第１の役を当選役として決定することを条件に、前記第１の役に対応する図柄組合せが前記図柄表示手段により表示されるまでの間、前記第１の役を当選役として持ち越す持越手段と、
第１の役と第２の役とが同時に当選役として決定された場合と、第１の役が当選役として持越されている場合とに基づいて報知を行う報知手段と、を備えることを特徴とする遊技機。
【請求項２】
請求項１に記載の遊技機において、
前記複数の役の各々に対応する数値範囲の情報を有する当選役決定情報を格納する当選役決定情報格納手段をさらに備え、
前記当選役決定情報は、
前記第１の役に対応する第１数値範囲の情報と、
前記第１数値範囲の一部と重複し、かつ、前記第２の役に対応する第２数値範囲とを含み、
前記当選役決定手段は、前記遊技開始指令信号の検知に基づいて行われる乱数抽選により抽出された乱数値を含む数値範囲に対応する役を、当選役として決定することを特徴とする遊技機。
【請求項３】
請求項１または２に記載の遊技機において、
前記利益付与手段は、
前記第１の役に対応する図柄組合せが前記図柄表示手段により表示されることを条件に遊技者にとって相対的に有利な有利状態の作動を行う有利状態作動手段と、
前記第２の役に対応する図柄組合せが前記図柄表示手段により表示されることを条件に遊技価値を遊技者に付与する遊技価値付与手段と、を含むことを特徴とする遊技機。
【請求項４】
請求項１から３いずれか一つに記載の遊技機において、
前記報知手段は、第１の役と第２の役とが同時に当選役として決定された場合と、第１の役が当選役として持越されている場合と、第２の役が当選役として決定された場合とに基づいて報知を行うことを特徴とする遊技機。
【請求項５】
請求項４に記載の遊技機において、
前記報知手段は、３種類のランプのうち、いずれかを点灯させることにより、前記報知を行うことを特徴とする遊技機。
【発明の詳細な説明】
【技術分野】
【０００１】
本発明は、遊技機に関する。
【背景技術】
【０００２】
例えば、停止ボタンを備えたスロットマシン、いわゆるパチスロ機は、正面の表示窓内に複数の図柄を表示する機械的回転リールを複数配列して構成した変動表示装置、或いはリール上の図柄を画面に表示する電気的変動表示装置を有する。遊技者のスタート操作に応じて、制御手段が変動表示装置を駆動して各リールを回転させることにより、図柄を変動表示させ、一定時間後自動的に或いは遊技者の停止操作により、各リールの回転を順次停止させる。このとき、表示窓内に現れた各リールの図柄が特定の組合せ（入賞図柄）になった場合にコイン、メダル等の遊技媒体を払出すことで遊技者に利益を付与するものである。
【０００３】
現在主流の機種は、複数種類の入賞態様を有するものである。特に、所定の役の入賞が成立したときは、１回のコインの払出しに終わらず、所定期間、通常の状態よりも条件の良い遊技状態となる。このような役として、遊技者に相対的に大きい利益を与えるゲームが所定回数行える役（「ビッグボーナス」と称し、以下「ＢＢ」と略記する）と、遊技者に相対的に小さい利益を与える遊技を所定ゲーム数行える役（「レギュラーボーナス」と称し、以下「ＲＢ」と略記する）がある。
【０００４】
また、現在主流の機種においては、有効化された成立ライン（以下「有効ライン」という）に沿って所定の図柄の組合せが並び、コイン、メダル等が払出される入賞が成立するには、内部的な抽選処理（以下「内部抽選」という）により役に当選（以下「内部当選」という）し、且つその内部当選した役（以下「内部当選役」という）の入賞成立を示す図柄の組合せを有効ラインに停止できるタイミングで遊技者が停止操作を行うことが要求される。つまり、いくら内部当選したとしても、遊技者の停止操作のタイミングが悪いと入賞を成立させることができない。すなわち、停止操作のタイミングに熟練した技術が要求される（「目押し」といわれる技術介入性の比重が高い）遊技機が現在の主流である。
【０００５】
このような遊技機では、周囲に複数の図柄を表示した複数の回転リールと、遊技機を制御するための制御装置と、を備え、この制御装置は、役に当選したかハズレかの抽選を行うための役抽選手段と、役抽選手段の抽選結果に基づいて回転リールの停止制御を行うための停止制御手段と、すべての回転リールの回転が停止した際における図柄の停止位置によって入賞か否かの判定を行うための入賞判定手段と、を備え、役抽選手段は、１回の遊技で複数個の役を当選させることができるように形成されていることを特徴とするものが提案されている（例えば、特許文献１参照）。
【０００６】
この遊技機によれば、１回の遊技で複数の役を当選させることができる。このため、役のバリエーションが豊富になり、これにより、遊技が単調にならないようにすることができるので、遊技者の興趣を高めることができる。
【特許文献１】特開２００４−１１３２９２号公報
【発明の開示】
【発明が解決しようとする課題】
【０００７】
しかしながら、上記の遊技機では、単に、１回の遊技で複数の役を当選させるだけであり、面白みに欠ける。
【０００８】
本発明の目的は、複数の役が同時に当選役として決定された場合に、同時に当選したことを報知することにより、より戦略性に富んだ面白みのある遊技機を提供することである。
【課題を解決するための手段】
【０００９】
本発明は、以上のような問題点に鑑みてなされたものであり、遊技機において、報知手段は、第１の役と第２の役とが同時に当選役として決定された場合と、第１の役が当選役として持越されている場合との各々に対応した報知を行うことを特徴とする。
【００１０】
より具体的には、本発明では、以下のようなものを提供する。
【００１１】
（１）  複数の図柄を表示する図柄表示手段（例えば、後述のリール３Ｌ，３Ｃ，３Ｒ、後述の図柄表示領域２１Ｌ，２１Ｃ，２１Ｒ）と、遊技者による操作（例えば、後述のスタート操作）に応じて遊技開始指令信号を出力する遊技開始指令手段（例えば、後述のスタートスイッチ６Ｓ、後述の主制御回路７１）と、前記遊技開始指令手段からの前記遊技開始指令信号を検出したことを条件に、前記図柄表示手段により表示される図柄の変動を行う図柄変動手段（例えば、後述のステッピングモータ４９Ｌ，４９Ｃ，４９Ｒ、後述の主制御回路７１）と、前記遊技開始指令信号の検知に基づいて、予め定められた複数の役（例えば、後述のＲＢ、後述のスイカの小役、後述のリプレイ、後述のチェリーの小役）から、同時に１つ以上の役を当選役として決定する当選役決定手段（例えば、後述の内部抽選処理を行う手段、後述の主制御回路７１）と、遊技者による操作に応じて、前記図柄変動手段により行われる図柄の変動の停止を指令する信号を出力する停止信号出力手段（例えば、後述の停止ボタン７Ｌ，７Ｃ，７Ｒ、後述のリール停止信号回路４６）と、前記停止信号出力手段により出力された信号と、前記当選役決定手段により決定された当選役とに基づいて、前記図柄変動手段により行われる図柄の変動の停止制御を行う停止制御手段（例えば、後述の滑りコマ数決定処理を行う手段、後述の図１３のステップＳ１７〜ステップＳ１９を行う手段、後述の主制御回路７１）と、前記複数の役の各々と対応して予め定められた図柄組合せ（例えば、後述のプラムの小役に対応する図柄組合せ）が前記図柄表示手段により表示されると、前記各々の役に応じた利益（例えば、メダルの払出し、メダルの自動投入、および後述の遊技状態の移行）を遊技者に付与する利益付与手段（例えば、後述の図２０のステップＳ２３を行う手段、および主制御回路７１）と、を備える遊技機であって、前記複数の役は、前記利益付与手段により付与される利益が互いに異なる第１の役（例えば、後述の赤７ＲＢ）と、第２の役（例えば、後述のチェリーの小役）とを含み、前記当選役決定手段が、前記第１の役を当選役として決定することを条件に、前記第１の役に対応する図柄組合せ（例えば、後述の“赤７−赤７−赤７”）が前記図柄表示手段により表示されるまでの間、前記第１の役を当選役として持ち越す持越手段（例えば、後述の遊技状態監視処理を行う手段、主制御回路７１）と、第１の役と第２の役とが同時に当選役として決定された場合と、第１の役が当選役として持越されている場合とに基づいて報知（例えば、後述のボーナス報知ランプ１１０Ｌ、小役報知ランプ１１０Ｃ、同時当選報知ランプ１１０Ｒの点灯）を行う報知手段（例えば、後述の報知ランプ制御処理、音・ランプ制御マイコン９１）と、を備えることを特徴とする遊技機。
【００１２】
（１）記載の遊技機によれば、まず、遊技開始指令手段は、遊技者による操作に応じて遊技開始指令信号を出力する。図柄変動手段は、この遊技開始指令信号を検出したことを条件に、図柄表示手段により表示される図柄の変動を行う。また一方で、当選役決定手段は、この遊技開始指令信号の検知に基づいて、予め定められた複数の役から、同時に１つ以上の役を当選役として決定する。停止信号出力手段は、遊技者による操作に応じて、前記図柄変動手段により行われる図柄の変動の停止を指令する信号を出力する。停止制御手段は、停止信号出力手段により出力された信号と、当選役決定手段により決定された当選役とに基づいて、図柄変動手段により行われる図柄の変動の停止制御を行う。このように停止制御された図柄に対して、利益付与手段は、複数の役の各々と対応して予め定められた図柄組合せが前記図柄表示手段により表示されると、前記各々の役に応じた利益を遊技者に付与する。
以上の過程において、当選役決定手段は、利益付与手段により付与される利益が互いに異なる第１の役と、第２の役と、を同時に当選役として決定する場合がある。また、第１の役と第２の役とが同時に当選役として決定されたゲーム以降は、第１の役に対応する図柄組合せが図柄表示手段により表示されるまでの間、この第１の役は当選役として持ち越される。このような場合、報知手段は、まず、第１の役と第２の役とが、同時に当選役として決定されたことを報知する。次ゲーム以降、報知手段は、第１の役に対応する図柄組合せが図柄表示手段により表示されるまでの間、第１の役が当選役として持ち越されていることを報知する。したがって、第２の役と、当選役として持ち越される第１の役とが同時に当選役として決定された場合に、遊技者が、どちらの役に応じた停止操作を行うかは、遊技者が考える戦略による。このようにして、遊技を戦略性に富んだ面白みのあるものにできる場合がある。
【００１３】
（２）  （１）記載の遊技機において、前記複数の役の各々に対応する数値範囲の情報を有する当選役決定情報を格納する当選役決定情報格納手段をさらに備え、前記当選役決定情報は、前記第１の役に対応する第１数値範囲の情報と、前記第１数値範囲の一部と重複し、かつ、前記第２の役に対応する第２数値範囲とを含み、前記当選役決定手段は、前記遊技開始指令信号の検知に基づいて行われる乱数抽選により抽出された乱数値を含む数値範囲に対応する役を、当選役として決定することを特徴とする遊技機。
【００１４】
（２）記載の遊技機によれば、複数の役の各々に対応する数値範囲の情報を有する当選役決定情報を格納する当選役決定情報格納手段を備え、また、この当選役決定情報は、第１の役に対応する第１数値範囲の情報と、第１数値範囲の一部と重複し、かつ、第２の役に対応する第２数値範囲とを含む。そして、当選役決定手段は、遊技開始指令信号の検知に基づいて乱数抽選を行い、これにより抽出された乱数値を含む数値範囲に対応する役を、当選役として決定する。
したがって、乱数抽選により抽出された乱数値が、第１数値範囲と、第２の数値範囲とが重複した数値範囲に含まれる場合には、当選役決定手段は、第１の役と、第２の役とを同時に当選役として決定できる。また、当選役決定情報は、複数の役の各々に対応して、数値範囲を定めているため、必ずしも順に設ける必要がなく、各数値範囲を重複させたり分散させたりして不規則に設けることができる。このため、遊技者が一定のタイミングで開始操作を繰返しても、抽出した乱数値が、当選役に応じた数値範囲に入り続けることは無くなる場合がある。
【００１５】
（３）  （１）または（２）記載の遊技機において、前記利益付与手段は、前記第１の役に対応する図柄組合せが前記図柄表示手段により表示されることを条件に遊技者にとって相対的に有利な有利状態の作動を行う有利状態作動手段と、前記第２の役に対応する図柄組合せが前記図柄表示手段により表示されることを条件に遊技価値を遊技者に付与する遊技価値付与手段と、を含むことを特徴とする遊技機。
【００１６】
（３）記載の遊技機によれば、利益付与手段は、有利状態作動手段と、遊技価値付与手段と、を含む。この有利状態作動手段は、第１の役に対応する図柄組合せが図柄表示手段により表示されることを条件に遊技者にとって相対的に有利な有利状態の作動を行う。また、遊技価値付与手段は、第２の役に対応する図柄組合せが図柄表示手段により表示されることを条件に遊技価値を遊技者に付与する。
したがって、第１の役と第２の役とが同時に当選役として決定されたことが報知された場合には、遊技の上級者であれば、当選役として持ち越される第１の役よりも、遊技価値が付与される第２の役に応じた停止操作を行うと思われるが、遊技の初心者であれば、遊技者にとって相対的に有利な有利状態の作動が行われる第１の役に応じた停止操作を行うと思われる。また、上級者であっても、第２の役に対応する図柄組合せが表示されることを条件に付与される遊技価値の内容によっては、第１の役に応じた停止操作を行うことも有り得る。したがって、第１、第２の役が同時に当選役として決定されたことが報知された場合に、どちらの役に応じた停止操作を行うかは、遊技者の技能、および遊技の状況に応じて異なるので、遊技を、より戦略性に富んだ面白みのあるものにできる場合がある。
【００１７】
（４）  （１）から（３）いずれか一つに記載の遊技機において、前記報知手段は、第１の役と第２の役とが同時に当選役として決定された場合と、第１の役が当選役として持越されている場合と、第２の役が当選役として決定された場合とに基づいて報知を行うことを特徴とする遊技機。
【００１８】
（４）記載の遊技機によれば、報知手段は、第１、第２の役が同時に当選した場合と、第１の役が当選した場合と、第２の役が当選した場合とに基づいて報知する。したがって、遊技者は、当選役の決定状況をより詳細に知ることができるので、遊技を、より面白みのあるものにできる場合がある。
【００１９】
（５）  （１）から（４）いずれか一つに記載の遊技機において、前記報知手段は、３種類のランプのうち、いずれかを点灯させることにより、前記報知を行うことを特徴とする遊技機。
【００２０】
（５）記載の遊技機によれば、報知手段は、第１、第２の役が同時に当選した場合と、第１の役が当選した場合と、第２の役が当選した場合とを、３種類のランプで区別して報知する。したがって、遊技者は、当選役の決定状況を、容易に視認できる場合がある。
【発明の効果】
【００２１】
当選役決定手段は、利益付与手段により付与される利益が互いに異なる第１の役と、第２の役と、を同時に当選役として決定する場合がある。また、第１の役と第２の役とが同時に当選役として決定されたゲーム以降は、第１の役に対応する図柄組合せが図柄表示手段により表示されるまでの間、この第１の役は当選役として持ち越される。このような場合、報知手段は、まず、第１の役と第２の役とが、同時に当選役として決定されたことを報知する。次ゲーム以降、報知手段は、第１の役に対応する図柄組合せが図柄表示手段により表示されるまでの間、第１の役が当選役として持ち越されていることを報知する。したがって、第２の役と、当選役として持ち越される第１の役とが同時に当選役として決定された場合に、遊技者が、どちらの役に応じた停止操作を行うかは、遊技者が考える戦略による。このようにして、遊技を戦略性に富んだ面白みのあるものにできる場合がある。
【発明を実施するための最良の形態】
【００２２】
以下、実施例の遊技機について説明する。
【実施例１】
【００２３】
図１は、本発明の一実施例の遊技機１の外観を示す斜視図である。遊技機１は、いわゆるパチスロ機である。この遊技機１は、コイン、メダル、遊技球又はトークンなどの他、遊技者に付与された、もしくは付与される遊技価値の情報を記憶したカード等の遊技媒体を用いて遊技する遊技機であるが、以下ではメダルを用いるものとして説明する。
【００２４】
前面ドア２の正面には、略垂直面としてのパネル表示部２ａ、液晶表示部２ｂおよび固定表示部２ｃが形成されている（後述）。また、前面ドア２の背後には、複数種類の図柄が各々の外周面に描かれた３個のリール３Ｌ，３Ｃ，３Ｒが、回転自在に横一列に設けられている。各リール３Ｌ，３Ｃ，３Ｒは、一定の速度で回転する（例えば、８０回転／分）。
【００２５】
パネル表示部２ａ、液晶表示部２ｂおよび固定表示部２ｃの下方には略水平面の台座部４が形成されている。台座部４の右側には、メダルを投入するためのメダル投入口１０が設けられている。投入されたメダルは、クレジットされるか、ゲームに賭けられる。また、台座部４の左側には、押下操作により、クレジットされているメダルを賭けるための１−ＢＥＴスイッチ１１、２−ＢＥＴスイッチ１２、および最大ＢＥＴスイッチ１３が設けられている。
【００２６】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００２７】
これらのＢＥＴスイッチ１１〜１３を操作することで、所定の表示ラインが有効化される（後述）。ＢＥＴスイッチ１１〜１３の操作およびメダル投入口１０にメダルを投入する操作（遊技を行うためにメダルを投入する操作）を、以下「ＢＥＴ操作」という。また、ＢＥＴスイッチ１１〜１３の上方には、操作部１７が設けられている。操作部１７は、液晶表示装置１３１に遊技履歴などの情報を表示するために操作される。
【００２８】
台座部４の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部５に溜められる。メダル受け部５の上方の左右には、遊技の演出に関する効果音などを出音するスピーカ９Ｌ，９Ｒが設けられている。
【００２９】
Ｃ／Ｐスイッチ１４の右側には、遊技者の操作により上記リールを回転させ、図柄表示領域２１Ｌ，２１Ｃ，２１Ｒ内での図柄の変動表示を開始するためのスタートレバー６が所定の角度範囲で回動自在に取り付けられている。
【００３０】
台座部４の前面部中央で、スタートレバー６の右側には、３個のリール３Ｌ，３Ｃ，３Ｒの回転をそれぞれ停止させるための３個の停止ボタン７Ｌ，７Ｃ，７Ｒが設けられている。なお、実施例では、一のゲーム（単位遊技）は、基本的にスタートレバー６が操作されることにより開始し、全てのリール３Ｌ，３Ｃ，３Ｒが停止したときに終了する。
【００３１】
ここで、本実施例では、全てのリールが回転しているときに行われるリールの停止操作（停止ボタンの操作）を第１停止操作、第１停止操作の次に行われる停止操作を第２停止操作、第２停止操作の次に行われる停止操作を第３停止操作という。また、各停止ボタン７Ｌ，７Ｃ，７Ｒの裏側には、後述の図６に示す停止スイッチ７ＬＳ，７ＣＳ，７ＲＳが配置されている。これらの停止スイッチは、対応する停止ボタンの操作（停止操作）を検知する。
【００３２】
図２を参照して、パネル表示部２ａ、液晶表示部２ｂおよび固定表示部２ｃについて説明する。
【００３３】
パネル表示部２ａは、ボーナス遊技情報表示部１６、ＢＥＴランプ１７ａ〜１７ｃ、装飾パネル１１０、払出表示部１８、およびクレジット表示部１９により構成される。ボーナス遊技情報表示部１６は、７セグメントＬＥＤから成り、ボーナス中の遊技情報を表示する。１−ＢＥＴランプ１７ａ、２−ＢＥＴランプ１７ｂおよび最大ＢＥＴランプ１７ｃは、一のゲームを行うために賭けられたメダルの数（以下「ＢＥＴ数」という）に応じて点灯する。
【００３４】
１−ＢＥＴランプ１７ａは、ＢＥＴ数が１枚のときに点灯する。２−ＢＥＴランプ１７ｂは、ＢＥＴ数が２枚のときに点灯する。最大ＢＥＴランプ１７ｃは、ＢＥＴ数が３枚のときに点灯する。払出表示部１８およびクレジット表示部１９は、夫々７セグメントＬＥＤから成り、入賞が成立した時（役が成立したとき）のメダルの払出枚数およびクレジットされているメダルの枚数を表示する。
【００３５】
液晶表示部２ｂは、図柄表示領域２１Ｌ，２１Ｃ，２１Ｒ、窓枠表示領域２２Ｌ，２２Ｃ，２２Ｒおよび演出表示領域２３により構成される。この液晶表示部２ｂの表示内容は、リール３Ｌ，３Ｃ，３Ｒの回転および停止態様、および後述の液晶表示装置１３１（後述の図４参照）の動作により変化するようになっている。
【００３６】
図柄表示領域２１Ｌ，２１Ｃ，２１Ｒは、各リール３Ｌ，３Ｃ，３Ｒに対応して設けられ、リール３Ｌ，３Ｃ，３Ｒ上に配置された図柄の表示や、種々の演出表示を行う。
【００３７】
図柄表示領域２１Ｌ，２１Ｃ，２１Ｒには、表示ラインとして、水平方向にトップライン８ｂ、センターライン８ｃおよびボトムライン８ｄ、並びに、斜め方向にクロスアップライン８ａおよびクロスダウンライン８ｅが設けられる。これらの表示ラインは、遊技者が、前述のＢＥＴスイッチ１１〜１３を押下操作すること、又はメダル投入口１０にメダルを投入することにより、それぞれ１本、３本、５本が有効化される（以下、有効化された表示ラインを「有効ライン」と記載する）。どの表示ラインが有効化されたかは、前述のＢＥＴランプ１７ａ，１７ｂ，１７ｃの点灯で表示される。ここで、表示ライン８ａ〜８ｅは、役の成否に関わる。
【００３８】
図柄表示領域２１Ｌ，２１Ｃ，２１Ｒは、少なくとも、対応するリール３Ｌ，３Ｃ，３Ｒが回転中のとき、および、対応する停止ボタン７Ｌ，７Ｃ，７Ｒが押下操作可能なとき、遊技者がリール３Ｌ，３Ｃ，３Ｒ上の図柄を視認できるように、透過状態となる。
【００３９】
窓枠表示領域２２Ｌ，２２Ｃ，２２Ｒは、各図柄表示領域２１Ｌ，２１Ｃ，２１Ｒを囲むように設けられ、リール３Ｌ，３Ｃ，３Ｒの前面に配置された図柄表示領域２１Ｌ，２１Ｃ，２１Ｒの窓枠を表したものである。
【００４０】
演出表示領域２３は、液晶表示部２ｂの領域のうち、図柄表示領域２１Ｌ，２１Ｃ，２１Ｒおよび窓枠表示領域２２Ｌ，２２Ｃ，２２Ｒ以外の領域である。この演出表示領域２３は、ボーナスが成立可能であることを確定的に報知する画像（例えば、告知ランプ）の表示、ゲームの興趣を増大するための演出、遊技者がゲームを有利に進めるために必要な情報等の表示を行う。
【００４１】
固定表示部２ｃは、予め定めた図、絵などが描かれる領域である。この固定表示部２ｃに描かれた図、絵などと、演出表示領域２３に表示された画像を連接させることにより一つの静止画像又は動画像を表示できるようにしても良い。
【００４２】
図３を参照して、装飾パネル１１０について説明する。
【００４３】
装飾パネル１１０は、赤色の光を発光するボーナス報知ランプ１１０Ｌ、青色の光を発光する小役報知ランプ１１０Ｃ、および虹色（複数の色からなる）の光を発光する同時当選報知ランプ１１０Ｒより構成される。これらの報知ランプ１１０Ｌ，１１０Ｃ，１１０Ｒは、各々に対応するランプ、および各色に対応した透光性を有する樹脂などで形成されたカバーで形成される。また、これら３種類の報知ランプ１１０Ｌ，１１０Ｃ，１１０Ｒは、後述の遊技状態、および内部抽選処理の結果に応じて点灯することにより、遊技者に報知を行う。
【００４４】
図４は、液晶表示装置１３１の概略構成を示す斜視図である。はじめに、リール３Ｌ，３Ｃ，３Ｒの内部構造について説明する。リール３Ｌ，３Ｃ，３Ｒの内部には、リール３Ｌ，３Ｃ，３Ｒの回転が停止した場合に各図柄表示領域２１Ｌ，２１Ｃ，２１Ｒに現われる縦３列の図柄（合計９個の図柄）の裏側にＬＥＤ収納用回路基板が設置されている。ＬＥＤ収納用回路基板は、夫々３つ（即ち合計で９つ）のＬＥＤ収納部を有し、ここに複数のＬＥＤランプが設けられている。
【００４５】
このＬＥＤランプは、リール３Ｌ，３Ｃ，３Ｒの外周面に沿って装着されたリールシートの後面側を白色の光で照明する。より詳細には、前述の図柄表示領域２１Ｌ，２１Ｃ，２１Ｒに対応する領域を照明する。このリールシートは、透光性を有して構成され、ＬＥＤランプにより出射された光は前面側へ透過するようになっている。
【００４６】
また、左リール３Ｌは、同形の２本の環状フレームを所定の間隔（例えばリール幅）だけ離して複数本の連結部材で連結することで形成された円筒形のフレーム構造と、そのフレーム構造の中心部に設けられたステッピングモータ４９Ｌの駆動力を環状フレームへ伝達する伝達部材とにより構成される。また、左リール３Ｌの外周面に沿ってリールシートが装着されている。
【００４７】
リール３Ｌの内側に配置されたＬＥＤ収納用回路基板は、夫々複数のＬＥＤランプを収納する３つのＬＥＤ収納部を備えている。ＬＥＤ収納用回路基板は、遊技者が図柄表示領域２１Ｌを通して視認できる図柄（合計３個の図柄）の各々の裏側にＬＥＤ収納部が位置するように設置されている。なお、中央リール３Ｃ，右リール３Ｒについては図示しないが、図示した左リール３Ｌと同様の構造を有し、各々の内部にＬＥＤ収納用回路基板が設けられている。
【００４８】
次に、透過型の液晶表示装置１３１について説明する。液晶表示装置１３１は、保護ガラス１３２、表示板１３３、液晶パネル１３４、導光板１３５、反射フィルム１３６、白色光源（例えば全ての波長の光を人の目に特定の色彩が目立たない割合で含む）である蛍光ランプ１３７ａ，１３７ｂ，１３８ａ，１３８ｂ、ランプホルダ１３９ａ〜１３９ｈ、液晶パネル駆動用のＩＣを搭載したテーブルキャリアパッケージからなり液晶パネル１３４の端子部に接続したフレキシブル基板（図示せず）等により構成される。
【００４９】
この液晶表示装置１３１は、リール３Ｌ，３Ｃ，３Ｒの表示領域より正面から見て手前側（即ち表示面よりも手前側）に設けられている。また、このリール３Ｌ，３Ｃ，３Ｒと液晶表示装置１３１とは、別体で（例えば所定の間隔をあけて）設けられている。
【００５０】
保護ガラス１３２および表示板１３３は、透光性部材で構成されている。保護ガラス１３２は、液晶パネル１３４を保護すること等を目的として設けられている。表示板１３３において、前述のパネル表示部２ａおよび固定表示部２ｃ（図２参照）に対応する領域には、図、絵などが描かれる。
【００５１】
ここで、図４では、パネル表示部２ａに対応する表示板１３３の領域の裏側に配置される前述の各種表示部（ボーナス遊技情報表示部１６、払出表示部１８、クレジット表示部１９など）およびＢＥＴランプ１７ａ〜１７ｃを動作させる電気回路の図示を省略している。
【００５２】
液晶パネル１３４は、薄膜トランジスタ層が形成されたガラス板などの透明な基板と、これに対向する透明な基板との間隙部に液晶が封入されて形成されている。この液晶パネル１３４の表示モードは、ノーマリーホワイトに設定されている。ノーマリーホワイトとは、液晶を駆動していない状態（即ち液晶パネル１３４に電圧を印加していない状態）で白表示となる構成である。即ち、表示面側に光が行く、よって透過した光が外部から視認されることとなる。
【００５３】
よって、ノーマリーホワイトに構成された液晶パネル１３４を採用することにより、液晶を駆動できない事態が生じた場合であっても、図柄表示領域２１Ｌ，２１Ｃ，２１Ｒを透してリール３Ｌ，３Ｃ，３Ｒ上に配列された図柄を視認することができ、ゲームを継続することができる。つまり、液晶を駆動できない事態が発生した場合にも、リール３Ｌ，３Ｃ，３Ｒの回転およびその停止を中心としたゲームを行うことができる。
【００５４】
導光板１３５は、蛍光ランプ１３７ａ，１３７ｂからの光を液晶パネル１３４へ導入する（液晶パネル１３４を照明する）ために液晶パネル１３４の裏側に設けられ、例えば２ｃｍ程度の厚さを有するアクリル系樹脂などの透光性部材（即ち導光機能を有する部材）で構成されている。
【００５５】
反射フィルム１３６は、例えば白色のポリエステルフィルムやアルミ薄膜に銀蒸着膜を形成したものが用いられ、導光板１３５に導入された光を正面側に向けて反射させる。これにより液晶パネル１３４を照明する。この反射フィルム１３６は、反射領域１３６Ａおよび非反射領域（即ち透過領域）１３６ＢＬ，１３６ＢＣ，１３６ＢＲにより構成されている。非反射領域１３６ＢＬ，１３６ＢＣ，１３６ＢＲは、透明な材料で形成され入射した光を反射することなく透過させる光透過部として形成されている。
【００５６】
また、非反射領域１３６ＢＬ，１３６ＢＣ，１３６ＢＲは、リール３Ｌ，３Ｃ，３Ｒの回転が停止した場合に表示させる図柄の各々の前方の位置に設けられている。尚、非反射領域１３６ＢＬ，１３６ＢＣ，１３６ＢＲの大きさおよび位置は、前述の図柄表示領域２１Ｌ，２１Ｃ，２１Ｒ（図２参照）と一致するように形成されている。また、反射フィルム１３６では、非反射領域１３６ＢＬ，１３６ＢＣ，１３６ＢＲ以外の領域を反射領域１３６Ａとし、反射領域１３６Ａにより導光板１３５に導入された光を正面側に向けて反射させる。
【００５７】
蛍光ランプ１３７ａ，１３７ｂは、導光板１３５の上端部および下端部に沿って配置され、両端はランプホルダ１３９ａ，１３９ｂ，１３９ｇ，１３９ｈにより支持されている。この蛍光ランプ１３７ａ，１３７ｂは、導光板１３５に導入する光を発生する。
【００５８】
蛍光ランプ１３８ａ，１３８ｂは、反射フィルム１３６の裏側の上方位置および下方位置に配置されている。この蛍光ランプ１３８ａ，１３８ｂから発せられた光は、リール３Ｌ，３Ｃ，３Ｒの表面で反射され、非反射領域１３６ＢＬ，１３６ＢＣ，１３６ＢＲへ入射する。そして、入射した光は、非反射領域１３６ＢＬ，１３６ＢＣ，１３６ＢＲを通過して液晶パネル１３４を照明する。
【００５９】
さらに、ＬＥＤランプおよび蛍光ランプ１３７ａ，１３７ｂ，１３８ａ，１３８ｂの機能について説明する。
【００６０】
はじめに、図柄表示領域２１Ｌ，２１Ｃ，２１Ｒにある液晶を駆動しない場合（即ち、液晶パネル１３４の、図柄表示領域２１Ｌ，２１Ｃ，２１Ｒに対応する個所に電圧を印加しない場合）の各ランプの機能について説明する。
【００６１】
蛍光ランプ１３８ａ，１３８ｂから出射された光の一部は、リールシートにより反射される。また、ＬＥＤ収納用回路基板に設けられた前述のＬＥＤランプから出射された光の一部は、リールシートを透過する。これらの光は、非反射領域１３６ＢＬ，１３６ＢＣ，１３６ＢＲ、液晶表示装置１３１を構成する前述の導光板１３５および液晶パネル１３４を透過するので、遊技者は、リール上に配置された図柄を視認することができる。
【００６２】
また、蛍光ランプ１３７ａ，１３７ｂから出射され、導光板１３５に向けて導入された光は、液晶パネル１３４を透過して遊技者の目に入る。つまり、蛍光ランプ１３７ａ，１３７ｂによって、前述の窓枠表示領域２２Ｌ，２２Ｃ，２２Ｒおよび演出表示領域２３に対応する液晶パネル１３４の領域が照明される。
【００６３】
次に、図柄表示領域２１Ｌ，２１Ｃ，２１Ｒにある液晶を駆動する場合（即ち、液晶パネル１３４の、図柄表示領域２１Ｌ，２１Ｃ，２１Ｒに対応する個所に電圧を印加する場合）の各ランプの機能について説明する。
【００６４】
蛍光ランプ１３８ａ，１３８ｂから出射された光の一部は、リールシートにより反射される。また、ＬＥＤランプから出射された光の一部は、リールシートを透過する。液晶パネル１３４の領域のうち、液晶が駆動された領域では、これらの光の一部が反射或いは吸収されたり透過したりするので、遊技者は、図柄表示領域２１Ｌ，２１Ｃ，２１Ｒに表示された演出画像等を視認することができる。
【００６５】
図５は、各リール３Ｌ，３Ｃ，３Ｒに表わされた複数種類の図柄が２１個配列された図柄列を示している。各図柄には“００”〜“２０”のコードナンバーが付され、データテーブルとして後で説明するＲＯＭ３２（図６）に格納（記憶）されている。各リール３Ｌ，３Ｃ，３Ｒ上には、“赤７（図柄９１）”、“青７（図柄９２）”、“BAR（図柄９３）”、“プラム（図柄９４）”、“スイカ（図柄９５）”、“Replay（図柄９６）”、および“チェリー（図柄９７）”の図柄で構成される図柄列が表わされている。各リール３Ｌ，３Ｃ，３Ｒは、図柄列が図５の矢印方向に移動するように回転駆動される。
【００６６】
ここで、実施例の役には、ＲＢ、リプレイ、スイカの小役、プラムの小役、上下チェリーの小役、および中チェリーの小役が設けられている。ＲＢは、第１種特別役物である。役（役データ）は、基本的に、遊技者に付与される利益と図柄組合せとが対応付けられた制御情報であり、リール３Ｌ，３Ｃ，３Ｒの停止制御、遊技状態の切り換え（移行）、遊技価値の付与などに用いられる制御情報である。
【００６７】
図６は、遊技機１における遊技処理動作を制御する主制御回路７１と、主制御回路７１に電気的に接続する周辺装置（アクチュエータ）と、主制御回路７１から送信される制御指令に基づいて液晶表示装置１３１、スピーカ９Ｌ，９Ｒ、ＬＥＤ類１０１、装飾パネル１１０を制御する副制御回路７２とを含む回路構成を示す。
【００６８】
主制御回路７１は、回路基板上に配置されたマイクロコンピュータ３０を主たる構成要素とし、これに乱数サンプリングのための回路を加えて構成されている。マイクロコンピュータ３０は、予め設定されたプログラム（後述の図１８〜図２３）に従って制御動作を行うＣＰＵ３１と、記憶手段であるＲＯＭ３２およびＲＡＭ３３を含む。
【００６９】
ＣＰＵ３１には、基準クロックパルスを発生するクロックパルス発生回路３４および分周器３５と、サンプリングされる乱数を発生する乱数発生器３６およびサンプリング回路３７とが接続されている。尚、乱数サンプリングのための手段として、マイクロコンピュータ３０内で、即ちＣＰＵ３１の動作プログラム上で、乱数サンプリングを実行するように構成してもよい。その場合、乱数発生器３６およびサンプリング回路３７は省略可能であり、或いは、乱数サンプリング動作のバックアップ用として残しておくことも可能である。
【００７０】
マイクロコンピュータ３０のＲＯＭ３２には、スタートレバー６を操作（スタート操作）する毎に行われる乱数サンプリングの判定に用いられる内部抽選テーブルや停止用当選役決定テーブル、停止ボタンの操作に応じてリールの停止態様を決定するための停止テーブル群などが格納されている。また、副制御回路７２へ送信するための各種制御指令（コマンド）等が格納されている。副制御回路７２が主制御回路７１へコマンド、情報等を入力することはなく、主制御回路７１から副制御回路７２への一方向で通信が行われる。ＲＡＭ３３には、種々の情報が格納される。例えば、後述の、内部当選役、持越役、現在の遊技状態などの情報等が格納される。
【００７１】
図６の回路において、マイクロコンピュータ３０からの制御信号により動作が制御される主要なアクチュエータとしては、ＢＥＴランプ（１−ＢＥＴランプ１７ａ、２−ＢＥＴランプ１７ｂ、最大ＢＥＴランプ１７ｃ）と、ボーナス遊技情報表示部１６、払出表示部１８、クレジット表示部１９などの表示部と、メダルを収納し、ホッパー駆動回路４１の命令により所定枚数のメダルを払出すホッパー（払出しのための駆動部を含む）４０と、リール３Ｌ，３Ｃ，３Ｒを回転駆動するステッピングモータ４９Ｌ，４９Ｃ，４９Ｒとがある。
【００７２】
更に、ステッピングモータ４９Ｌ，４９Ｃ，４９Ｒを駆動制御するモータ駆動回路３９、ホッパー４０を駆動制御するホッパー駆動回路４１、ＢＥＴランプ１７ａ，１７ｂ，１７ｃを駆動制御するランプ駆動回路４５、およびボーナス遊技情報表示部１６、払出表示部１８、クレジット表示部１９などの表示部を駆動制御する表示部駆動回路４８がＣＰＵ３１の出力部に接続されている。これらの駆動回路は、それぞれＣＰＵ３１から出力される駆動指令などの制御信号を受けて、各アクチュエータの動作を制御する。
【００７３】
また、マイクロコンピュータ３０が制御指令を発生するために必要な入力信号を発生する主な入力信号発生手段としては、スタートスイッチ６Ｓ、停止スイッチ７ＬＳ，７ＣＳ，７ＲＳ、１−ＢＥＴスイッチ１１、２−ＢＥＴスイッチ１２、最大ＢＥＴスイッチ１３、Ｃ／Ｐスイッチ１４、メダルセンサ１０Ｓ、リール位置検出回路５０、払出完了信号回路５１がある。
【００７４】
スタートスイッチ６Ｓは、スタートレバー６の操作を検出する。メダルセンサ１０Ｓは、メダル投入口１０に投入されたメダルを検出する。停止スイッチ７ＬＳ，７ＣＳ，７ＲＳは、対応する停止ボタン７Ｌ，７Ｃ，７Ｒの操作に応じて停止信号を発生する。リール位置検出回路５０は、リール回転センサからのパルス信号を受けて各リール３Ｌ，３Ｃ，３Ｒの位置を検出するための信号をＣＰＵ３１へ供給する。払出完了信号回路５１は、メダル検出部４０Ｓの計数値（ホッパー４０から払出されたメダルの枚数）が指定された枚数データに達した時、メダル払出完了を検知するための信号を発生する。
【００７５】
図６の回路において、乱数発生器３６は、一定の数値範囲に属する乱数を発生し、サンプリング回路３７は、スタートレバー６が操作された後の適宜のタイミングで１個の乱数をサンプリングする。こうしてサンプリングされた乱数を使用することにより、例えばＲＯＭ３２内に格納されている内部抽選テーブルなどに基づいて内部当選役などが決定される。
【００７６】
リール３Ｌ，３Ｃ，３Ｒの回転が開始された後、ステッピングモータ４９Ｌ，４９Ｃ，４９Ｒの各々に供給される駆動パルスの数が計数され、その計数値はＲＡＭ３３の所定エリアに書き込まれる。リール３Ｌ，３Ｃ，３Ｒからは一回転毎にリセットパルスが得られ、これらのパルスはリール位置検出回路５０を介してＣＰＵ３１に入力される。こうして得られたリセットパルスにより、ＲＡＭ３３で計数されている駆動パルスの計数値が“０”にクリアされる。これにより、ＲＡＭ３３内には、各リール３Ｌ，３Ｃ，３Ｒについて一回転の範囲内における回転位置に対応した計数値が格納される。
【００７７】
上記のようなリール３Ｌ，３Ｃ，３Ｒの回転位置とリール外周面上に描かれた図柄とを対応づけるために、図柄テーブル（図示せず）が、ＲＯＭ３２内に格納されている。この図柄テーブルでは、前述したリセットパルスが発生する回転位置を基準として、各リール３Ｌ，３Ｃ，３Ｒの一定の回転ピッチ毎に順次付与されるコードナンバーと、それぞれのコードナンバー毎に対応して設けられた図柄を示す図柄コードとが対応づけられている。
【００７８】
更に、ＲＯＭ３２内には、図柄組合せテーブル（図示せず）が格納されている。この図柄組合せテーブルでは、役の成立（入賞など）となる図柄の組合せと、入賞のメダル配当枚数と、その入賞（成立）を表わす入賞判定コード（成立判定コード）とが対応づけられている。上記の図柄組合せテーブルは、左のリール３Ｌ，中央のリール３Ｃ，右のリール３Ｒの停止制御時、および全リール３Ｌ，３Ｃ，３Ｒの停止後の入賞確認（表示役の確認）を行う場合に参照される。表示役（表示役データ）は、基本的に、有効ラインに沿って並ぶ図柄組合せに対応する役（成立役）である。遊技者には、表示役に対応する利益が付与される。
【００７９】
上記乱数サンプリングに基づく抽選処理（内部抽選処理など）により内部当選役や停止用当選役を決定した場合には、ＣＰＵ３１は、遊技者が停止ボタン７Ｌ，７Ｃ，７Ｒを操作したタイミングで停止スイッチ７ＬＳ，７ＣＳ，７ＲＳから送られる操作信号、および決定された停止テーブルに基づいて、リール３Ｌ，３Ｃ，３Ｒを停止制御する信号をモータ駆動回路３９に送る。
【００８０】
当選した役の入賞を示す停止態様（即ち入賞態様）となれば、ＣＰＵ３１は、払出指令信号をホッパー駆動回路４１に供給してホッパー４０から所定個数のメダルの払出を行う。その際、メダル検出部４０Ｓは、ホッパー４０から払出されるメダルの枚数を計数し、その計数値が指定された数に達した時に、メダル払出完了信号がＣＰＵ３１に入力される。これにより、ＣＰＵ３１は、ホッパー駆動回路４１を介してホッパー４０の駆動を停止し、メダル払出処理を終了する。
【００８１】
図７は、副制御回路７２の構成を示すブロック図である。副制御回路７２は、画像制御回路（ｇＳｕｂ）７２ａと、音・ランプ制御回路（ｍＳｕｂ）７２ｂとから構成されている。この画像制御回路（ｇＳｕｂ）７２ａ又は音・ランプ制御回路（ｍＳｕｂ）７２ｂは、主制御回路７１を構成する回路基板とは各々別の回路基板上に構成されている。
【００８２】
主制御回路７１と画像制御回路（ｇＳｕｂ）７２ａとの間の通信は、主制御回路７１から画像制御回路（ｇＳｕｂ）７２ａへの一方向で行われ、画像制御回路（ｇＳｕｂ）７２ａが主制御回路７１へコマンド、情報等を入力することはない。また、画像制御回路（ｇＳｕｂ）７２ａと音・ランプ制御回路（ｍＳｕｂ）７２ｂとの間の通信は、画像制御回路（ｇＳｕｂ）７２ａから音・ランプ制御回路（ｍＳｕｂ）７２ｂへの一方向で行われ、音・ランプ制御回路（ｍＳｕｂ）７２ｂが画像制御回路（ｇＳｕｂ）７２ａへコマンド、情報等を入力することはない。
【００８３】
画像制御回路（ｇＳｕｂ）７２ａは、画像制御マイコン８１、シリアルポート８２、プログラムＲＯＭ８３、ワークＲＡＭ８４、カレンダＩＣ８５、画像制御ＩＣ８６、制御ＲＡＭ８７、画像ＲＯＭ（ＣＲＯＭ（キャラクタＲＯＭ））８８およびビデオＲＡＭ８９で構成される。
【００８４】
画像制御マイコン８１は、ＣＰＵ、割込コントローラ、入出力ポート（シリアルポートは図示）を備えている。画像制御マイコン８１に備えられたＣＰＵは、主制御回路７１から送信されたコマンドに基づき、プログラムＲＯＭ８３内に格納された制御プログラムに従って各種の処理を行う。尚、画像制御回路（ｇＳｕｂ）７２ａは、クロックパルス発生回路、分周器、乱数発生器およびサンプリング回路を備えていないが、画像制御マイコン８１の動作プログラム上で乱数サンプリングを実行するように構成されている。
【００８５】
シリアルポート８２は、主制御回路７１から送信されるコマンド等を受信する。プログラムＲＯＭ８３は、画像制御マイコン８１で実行する制御プログラムや各種テーブル等を格納する。ワークＲＡＭ８４は、画像制御マイコン８１が前述した制御プログラムを実行する場合の、作業用の一時記憶手段として構成される。ワークＲＡＭ８４には、種々の情報が格納される。
【００８６】
カレンダＩＣ８５は、日付データを記憶する。画像制御マイコン８１には、操作部１７が接続されている。実施例では、この操作部１７を遊技場の従業員等が操作することにより日付の設定等が行われるようになっている。画像制御マイコン８１は、操作部１７から送信される入力信号に基づいて設定された日付情報をカレンダＩＣ８５に記憶する。カレンダＩＣ８５に記憶された日付情報はバックアップされることとなる。
【００８７】
また、前述のワークＲＡＭ８４とカレンダＩＣ８５は、バックアップ対象となっている。つまり、画像制御マイコン８１に供給される電源が遮断された場合であっても、電源が供給され続け、記憶された情報等の消去が防止される。
【００８８】
画像制御ＩＣ８６は、画像制御マイコン８１により決定された演出内容に応じた画像を生成し、液晶表示装置１３１に出力する。
【００８９】
制御ＲＡＭ８７は、画像制御ＩＣ８６の中に含まれている。画像制御マイコン８１は、この制御ＲＡＭ８７に対して情報等の書き込みや読み出しを行う。また、制御ＲＡＭ８７には、画像制御ＩＣ８６のレジスタと、スプライト属性テーブルと、カラーパレットテーブルと、が展開されている。画像制御マイコン８１は、画像制御ＩＣ８６のレジスタと、スプライト属性テーブルとを所定のタイミングごとに更新する。
【００９０】
画像制御ＩＣ８６には、液晶表示装置１３１と、画像ＲＯＭ８８と、ビデオＲＡＭ８９とが接続されている。尚、画像ＲＯＭ８８が画像制御マイコン８１に接続された構成であってもよい。この場合、３次元画像データなど大量の画像データを処理する場合に有効な構成となる場合がある。画像ＲＯＭ８８は、画像を生成するための画像データ、ドットデータ等を格納する。ビデオＲＡＭ８９は、画像制御ＩＣ８６で画像を生成する場合の一時記憶手段として構成される。また、画像制御ＩＣ８６は、ビデオＲＡＭ８９のデータを液晶表示装置１３１に転送終了する毎に画像制御マイコン８１に信号を送信する。
【００９１】
また、画像制御回路（ｇＳｕｂ）７２ａでは、画像制御マイコン８１が、音・ランプの演出の制御も行うこととなっている。画像制御マイコン８１は、決定された演出に基づいて、音・ランプの種類および出力タイミングを決定する。そして、画像制御マイコン８１は、所定のタイミングごとに、音・ランプ制御回路（ｍＳｕｂ）７２ｂにシリアルポート８２を介してコマンドを送信する。音・ランプ制御回路（ｍＳｕｂ）７２ｂでは、主に、画像制御回路（ｇＳｕｂ）７２ａから送信されたコマンドに応じて、音・ランプの出力のみを行うこととなる（後述する音量調節制御を除く）。
【００９２】
音・ランプ制御回路（ｍＳｕｂ）７２ｂは、音・ランプ制御マイコン９１、シリアルポート９２、プログラムＲＯＭ９３、ワークＲＡＭ９４、音源ＩＣ９５、パワーアンプ９６、音源ＲＯＭ９７で構成される。
【００９３】
音・ランプ制御マイコン９１は、ＣＰＵ、割込コントローラ、入出力ポート（シリアルポートは図示）を備えている。音・ランプ制御マイコン９１に備えられたＣＰＵは、画像制御回路（ｇＳｕｂ）７２ａから送信されたコマンドに基づき、プログラムＲＯＭ９３内に格納された制御プログラムに従って音・ランプの出力処理を行う。また、音・ランプ制御マイコン９１には、ＬＥＤ類１０１および装飾パネル１１０が接続されている。音・ランプ制御マイコン９１は、画像制御回路（ｇＳｕｂ）７２ａから所定のタイミングで送信されるコマンドに応じて、このＬＥＤ類１０１および装飾パネル１１０に出力信号を送信する。これにより、ＬＥＤ類１０１および装飾パネル１１０が演出に応じた所定の態様で発光することとなる。
【００９４】
シリアルポート９２は、画像制御回路（ｇＳｕｂ）７２ａから送信されるコマンド等を受信する。プログラムＲＯＭ９３は、音・ランプ制御マイコン９１で実行する制御プログラム等を格納する。ワークＲＡＭ９４は、音・ランプ制御マイコン９１が前述した制御プログラムを実行する場合の、作業用の一時記憶手段として構成される。
【００９５】
音源ＩＣ９５は、画像制御回路（ｇＳｕｂ）７２ａから送信されたコマンドに基づいて音源を生成し、パワーアンプ９６に出力する。パワーアンプ９６は増幅器であり、このパワーアンプ９６にはスピーカ９Ｌ，９Ｒが接続されている。パワーアンプ９６は、音源ＩＣ９５から出力された音源を増幅し、増幅した音源をスピーカ９Ｌ，９Ｒから出力させる。音源ＲＯＭ９７は、音源を生成するための音源データ（フレーズ等）等を格納する。
【００９６】
また、音・ランプ制御マイコン９１には、音量調節部１０３が接続されている。音量調節部１０３は、遊技場の従業員等により操作可能となっており、スピーカ９Ｌ，９Ｒから出力される音量の調節が行われる。音・ランプ制御マイコン９１は、音量調節部１０３から送信される入力信号に基づいて、スピーカ９Ｌ，９Ｒから出力される音を入力された音量に調節する制御を行う。
【００９７】
図８は、各遊技状態の発生条件、移行条件、および移行条件が充足された場合の移行先の遊技状態を示す。各遊技状態では、基本的に、内部当選する役の種類或いはその当選確率が異なる。
【００９８】
実施例の遊技状態には、一般遊技状態、ＲＢ遊技状態、および持越状態がある。また、この持越状態中において持ち越された役（ＲＢ）を、以下「持越役」という。なお、持越役は、内部当選役に含まれる。
【００９９】
一般遊技状態は、基本的に、いわゆる「出玉率」（遊技に賭けられた単位遊技価値に対して遊技者に付与される遊技価値）の期待値が“１”よりも小さい遊技状態である。また、後述の持越役がない遊技状態であり、他の遊技状態と比べて遊技者にとって最も不利な遊技状態である。
【０１００】
ＲＢ遊技状態は、基本的に、「第１種特別役物」が作動しているゲームにより構成される遊技状態である。
【０１０１】
持越状態は、基本的に、ＲＢに対応する図柄組合せが表示ラインに沿って並ぶこと（ＲＢの成立）が一又は複数のゲームにわたり許容された遊技状態である。すなわち、持越状態は、内部当選役がハズレ（なし）であることを条件に、停止用当選役がＲＢとなる遊技状態である。実施例のＲＢには、赤７ＲＢと青７ＲＢとが含まれる。持越状態には、赤７ＲＢ持越状態と青７ＲＢ持越状態とが含まれる。
【０１０２】
ここで、停止用当選役は、リール３Ｌ，３Ｃ，３Ｒの停止制御に用いられる情報である。停止用当選役が決定された場合には、その役に対応する図柄又は図柄組合せの停止態様を図柄表示領域２１Ｌ，２１Ｃ，２１Ｒ内に停止表示することを許容した状態でリール３Ｌ，３Ｃ，３Ｒが停止制御される。また、停止用当選役以外の役に対応する図柄又は図柄組合せを許容しない状態で停止制御が行われる。基本的に、内部当選役として決定された役が停止用当選役になる。ただし、持越状態では、内部当選役がなし（ハズレ）の場合には、ＲＢが停止用当選役になる。
【０１０３】
図８に示すように、ＲＢ遊技状態の発生条件は、ＲＢの成立である。所定回数（例えば、１２回）のゲームが終了すること、所定回数（例えば、８回）の成立が実現することという条件のうちのいずれかが成立することにより移行条件が成立し、遊技状態が一般遊技状態へ移行する。
【０１０４】
持越状態の発生条件は、ＲＢに内部当選することである。ＲＢが成立することにより移行条件が成立し、遊技状態がＲＢ遊技状態へ移行する。
【０１０５】
図９を参照して、役と図柄組合せと払出枚数について説明する。
【０１０６】
ＲＢは、“赤７−赤７−赤７”又は“青７−青７−青７”が有効ラインに沿って並ぶことにより成立する（表示役がＲＢとなる）。
【０１０７】
リプレイは、“Replay−Replay−Replay”が有効ラインに沿って並ぶことにより成立する。リプレイが成立すると、投入したメダルの枚数と同数のメダルが自動投入されるので、遊技者はメダルを消費することなく次のゲームを行うことができる。すなわち、リプレイは、成立することにより遊技価値の投入をすることによらずに遊技を行うことができる役である。
【０１０８】
また、「スイカの小役」、「プラムの小役」、「上下チェリーの小役」及び「中チェリーの小役」が成立することとなる図柄の組合せは図示の通りである。
【０１０９】
図１０を参照して、内部抽選テーブル決定テーブルについて説明する。
【０１１０】
内部抽選テーブル決定テーブルは、後述する内部抽選処理において、内部当選役を抽選する回数を決定する際に用いられる。このテーブルでは、一般遊技状態およびＲＢ遊技状態の遊技状態ごとに、抽選回数、および抽選に用いる内部抽選テーブルの種別を表す数値データが割り当てられている。後述する内部抽選処理では、各遊技状態に対応する内部抽選テーブルを用いて、数値データが表す抽選回数だけ抽選が行われる。
【０１１１】
一般遊技状態には、抽選回数６回および一般遊技状態用内部抽選テーブルを表すデータが割り当てられ、一般遊技状態中の各単位遊技では、抽選回数として６回、内部抽選テーブルとして一般遊技状態用内部抽選テーブルが決定される。
【０１１２】
ＲＢ遊技状態には、抽選回数３回およびＲＢ遊技状態用内部抽選テーブルを表すデータが割り当てられ、ＲＢ遊技状態中の各単位遊技では、抽選回数として３回、内部抽選テーブルとしてＲＢ遊技状態用内部抽選テーブルが決定される。
【０１１３】
図１１を参照して、内部抽選テーブルについて説明する。
【０１１４】
内部抽選テーブルは、後述の内部抽選処理において、内部当選役を抽選する際に用いられる。このテーブルは、乱数発生器３６で発生して、サンプリング回路３７でサンプリングされた０〜６５５３５の所定範囲の乱数を、各当選番号１〜６に区分けする数値データを、下限値および上限値として記憶している。各当選番号は、各内部当選役に対応付けられており、数値データは、メダルの投入枚数ごとに格納されている。１〜６の当選番号には、０〜６５５３５の数値データの中から、各数値範囲を規定する上限値および下限値が対で遊技状態ごとに割り当てられ、サンプリングされた乱数値が含まれる数値範囲に対応する当選番号が選択される。
【０１１５】
図１１の（１）は、一般遊技状態用内部抽選テーブルを示す。一般遊技状態では、青７ＲＢ、赤７ＲＢ、リプレイ、スイカの小役、プラムの小役、チェリーの小役、およびハズレが内部当選役として決定される場合がある。
チェリーの小役に対応する当選番号１には、メダルの投入枚数が１枚および２枚の場合には、それぞれ下限値０、上限値０、メダルの投入枚数が３枚の場合には、下限値０、上限値５９９の数値範囲が割り当てられる。
プラムの小役に対応する当選番号２には、メダルの投入枚数が１枚の場合には、下限値２８、上限値２０２７、投入枚数が２枚の場合には、下限値１１８、上限値３１１７、投入枚数が３枚の場合には、下限値２１８４、上限値７８８３の数値範囲が割り当てられる。
スイカの小役に対応する当選番号３には、メダルの投入枚数が１枚の場合には、下限値２８、上限値２８、投入枚数が２枚の場合には、下限値１１８、上限値１１８、投入枚数が３枚の場合には、下限値１７８５、上限値２１８４の数値範囲が割り当てられる。
リプレイに対応する当選番号４には、メダルの投入枚数が１枚の場合には、下限値２０２７、上限値１１００６、投入枚数が２枚の場合には、下限値３１１７、上限値１２０９６、投入枚数が３枚の場合には、下限値７８８３、上限値１６８６２の数値範囲が割り当てられる。
赤７ＲＢに対応する当選番号５には、メダルの投入枚数が１枚の場合には、下限値１、上限値１０、投入枚数が２枚の場合には、下限値１、上限値４０、投入枚数が３枚の場合には、下限値５７９、上限値６６１の数値範囲が割り当てられる。
青７ＲＢに対応する当選番号６には、メダルの投入枚数が１枚の場合には、下限値１９、上限値２８、投入枚数が２枚の場合には、下限値７９、上限値１１８、投入枚数が３枚の場合には、下限値１７３０、上限値１８１２の数値範囲が割り当てられる。
なお、サンプリング回路３７でサンプリングされた乱数が、当選番号１〜６に割り当てられた数値範囲に含まれない場合には、ハズレが内部当選役として決定される。
【０１１６】
図１１の（２）は、ＲＢ遊技状態用内部抽選テーブルを示す。ＲＢ遊技状態では、チェリーの小役、プラムの小役、スイカの小役、およびハズレが内部当選役として決定される場合がある。
なお、サンプリング回路３７でサンプリングされた乱数が、当選番号１〜６に割り当てられた数値範囲に含まれない場合には、ハズレが内部当選役として決定される。
【０１１７】
上述の内部抽選テーブルは、所定の乱数範囲（０〜６５５３５）に含まれる数値範囲の下限値および上限値を、複数の役に応じて規定する当選役決定情報を構成し、当選役決定情報格納手段としてのＲＯＭ３２に格納される。当選役決定情報は、ある当選役（本実施例では、当選番号１のチェリーの小役）に応じた数値範囲（０〜５９９）と、ある当選役とは異なる他の当選役（本実施例では、当選番号５の赤７ＲＢ）に応じた数値範囲（５７９〜６６１）とを、少なくとも一部（５７９〜５９９）において重複させている。また、ある当選役（本実施例では、当選番号３のスイカの小役）に応じた数値範囲（１７８５〜２１８４）と、ある当選役とは異なる他の当選役（本実施例では、当選番号６の青７ＲＢ）に応じた数値範囲（１７３０〜１８１２）とを、少なくとも一部（１７８５〜１８１２）において重複させている。
【０１１８】
内部当選役は、その内部当選役に対応する停止制御の態様、或いは表示役などを介して、対応する図柄組合せと遊技者に付与される利益とが間接的に対応付けられているといえる。
【０１１９】
図１２を参照して、内部当選役決定テーブルについて説明する。
【０１２０】
内部当選役決定テーブルは、後述の内部抽選処理において、内部当選役を決定する際に用いられる。内部当選役決定テーブルは、上述の内部抽選テーブル（図１１）を用いて決定される各当選番号０〜６と、内部当選役の当選フラグとを対応付ける１６ビットデータを有する。この内部当選役決定テーブルでは、
【０１２１】
図１３を参照して、引込優先順位テーブルについて説明する。
【０１２２】
引込優先順位テーブルは、後述の内部抽選処理において、内部当選役が複数決定された場合に、後述の滑りコマ数決定処理において優先する図柄を決定する際に用いられる。引込優先順位テーブルは、内部当選役の種別と、優先順位とを対応付けるデータを有する。図１３に示すように、優先順位１には内部当選役リプレイ、優先順位２には内部当選役青７ＲＢ、および赤７ＲＢ、優先順位３には内部当選役チェリーおよびプラム、優先順位４には内部当選役スイカが対応付けられている。このため、内部抽選処理で内部当選役が複数決定されたときには、内部当選役リプレイに対応する図柄、“リプレイ”、内部当選役青７ＲＢ、赤７ＲＢに対応する図柄、“青７”、“赤７”、内部当選役チェリー、プラムに対応する図柄、“チェリー”、“プラム”、内部当選役スイカに対応する図柄“スイカ”の優先順位で、有効ラインに図柄が引き込まれる。
【０１２３】
図１４、図１５を参照して、内部当選役１格納領域、内部当選役２格納領域について説明する。
【０１２４】
これらの格納領域には、上述の図１２に示す内部当選役決定テーブルを参照して内部抽選処理で決定された内部当選役１、２の種別を表すデータが格納される。図１４、図１５に示すように、これらの格納領域は、ビット０〜７の８ビットで構成されており、各ビットにはデータ欄に示される数値がセットされる。
【０１２５】
図１４に示す内部当選役１格納領域では、内部当選役１が青７ＲＢを表す“０００００１００”である場合、内部当選役１格納領域のビット０、ビット１、ビット３〜ビット７には、数値“０”がセットされ、ビット２には、数値“１”がセットされる。また、内部当選役１が赤７ＲＢを表す“００００００１０”である場合、内部当選役１格納領域のビット０、ビット２〜７には数値“０”がセットされ、ビット１には数値“１”がセットされる。内部当選役１がリプレイを表す“０００００００１”である場合、内部当選役１格納領域のビット１〜７には数値“０”がセットされ、ビット０には数値“１”がセットされる。
【０１２６】
図１５に示す内部当選役２格納領域では、内部当選役２がスイカを表す“０００００１００”である場合、内部当選役２格納領域のビット０、ビット１、ビット３〜ビット７には、数値“０”がセットされ、ビット２には、数値“１”がセットされる。また、内部当選役２がプラムを表す“００００００１０”である場合、内部当選役２格納領域のビット０、ビット２〜７には数値“０”がセットされ、ビット１には数値“１”がセットされる。内部当選役２がチェリーを表す“０００００００１”である場合、内部当選役２格納領域のビット１〜７には数値“０”がセットされ、ビット０には数値“１”がセットされる。
【０１２７】
図１６を参照して、持越役格納領域について説明する。
【０１２８】
持越役格納領域には、内部抽選処理で決定された持越役の種別を表す持越役フラグのデータが格納される。図１６に示すように、これらの格納領域は、ビット０〜７の８ビットで構成されており、各ビットにはデータ欄に示される数値がセットされる。
【０１２９】
図１６に示すように、持越役フラグが青７ＲＢを表す“０００００１００”である場合、持越役格納領域のビット０、ビット１、ビット３〜ビット７には、数値“０”がセットされ、ビット２には、数値“１”がセットされる。また、持越役フラグが赤７ＲＢを表す“００００００１０”である場合、持越役格納領域のビット０、ビット２〜７には数値“０”がセットされ、ビット１には数値“１”がセットされる。また、持越役フラグがセットされていない場合には、持越役格納領域の全てのビット０〜７には数値“０”がセットされる。
【０１３０】
図１７を参照して、装飾パネル１１０の動作について説明する。図１７は、各ゲームにおける内部当選役の決定と、その内部当選役の入賞の成否に基づくボーナス報知ランプ１１０Ｌ、小役報知ランプ１１０Ｃ、同時当選報知ランプ１１０Ｒの点灯動作を示すタイミングチャートである。
【０１３１】
初めに、ゲーム（１）では、一般遊技状態において、内部当選役として小役が決定されたので、この決定に対応して小役報知ランプ１１０Ｃが点灯する。ゲーム（２）では、一般遊技状態において、内部当選役としてハズレ（なし）が決定されたので、この決定に対応して、報知ランプ１１０Ｌ，１１０Ｃ，１１０Ｒは点灯することはない。ゲーム（３）では、一般遊技状態において、内部当選役としてボーナス（ＲＢ）が決定されたので、この決定に対応してボーナス報知ランプ１１０Ｌが点灯する。また、上述のように、ＲＢが内部当選役として決定されたゲーム以降は、ＲＢは持越役として持ち越され、持越状態へ移行する。
【０１３２】
次に、ゲーム（４）では、一般遊技状態において、内部当選役としてＲＢと小役とが同時に決定されたので、この決定に対応して同時当選報知ランプ１１０Ｒが点灯する。また、ＲＢが内部当選役として決定されたので、このゲームよりＲＢは持越役として持ち越される。ゲーム（５）では、ゲーム（４）において内部当選役として決定されたＲＢが持越役として持ち越されていることに対応して、ボーナス報知ランプ１１０Ｌが点灯する。なお、このボーナス報知ランプ１１０Ｌは、ゲーム（５）以降、ＲＢが成立するまで、点灯し続ける。
【０１３３】
図１８〜図２０に示すメインフローチャートを参照して、主制御回路７１の制御動作について説明する。
【０１３４】
初めに、ＣＰＵ３１は、遊技開始時の初期化を行う（ステップＳ１）。具体的には、ＲＡＭ３３の記憶内容の初期化、通信データの初期化等を行う。続いてゲーム終了時のＲＡＭ３３の所定の記憶内容（所定の記憶領域（例えば、内部当選役を記憶する領域）の情報）を消去し（ステップＳ２）、ステップＳ３に移る。具体的には、前回のゲームに使用されたＲＡＭ３３の書き込み可能エリアのデータの消去、ＲＡＭ３３の書き込みエリアへの次のゲームに必要なパラメータの書き込み、次のゲームのシーケンスプログラムの開始アドレスの指定等を行う。
【０１３５】
ステップＳ３では、メダル投入・スタートチェック処理を行い、ステップＳ４に移る。この処理では、スタートスイッチ６Ｓ、メダルセンサ２２Ｓ、又はＢＥＴスイッチ１１〜１３からの入力に基づいて、ＢＥＴ数の更新などの処理を行う。ステップＳ４では、抽選用の乱数を抽出し、ステップＳ５に移る。この処理で抽出した乱数は、後で説明する内部抽選処理において使用される。
【０１３６】
ステップＳ５では、後で図２１を参照して説明する遊技状態監視処理を行い、ステップＳ６に移る。ステップＳ６では、後で図２２、図２３を参照して説明する内部抽選処理を行い、ステップＳ７に移る。
【０１３７】
ステップＳ７では、スタートコマンドをセットし、ステップＳ８に移る。スタートコマンドは、遊技状態、内部当選役、初期決定処理で決定された停止テーブルなどの情報を含み、副制御回路７２に送信される。ステップＳ８では、停止テーブルを決定するリール停止初期設定処理を行い、ステップＳ９に移る。ステップＳ９では、前回のゲームが開始してから“4.1秒”経過しているか否かを判別する。この判別がＹＥＳのときは、ステップＳ１１に移り、ＮＯのときは、ステップＳ１０に移る。
【０１３８】
ステップＳ１０では、ゲーム開始待ち時間消化の処理（ウェイト処理）を行い、ステップＳ１１に移る。具体的には、前回のゲームが開始してから所定時間（例えば、所定秒（“4.1秒”など））経過するまでの間、遊技者のゲームを開始する操作に基づく入力を無効にする処理を行う。
【０１３９】
ステップＳ１１では、ゲーム監視用タイマをセットし、ステップＳ１２に移る。このゲーム監視用タイマには、遊技者の停止ボタン７Ｌ，７Ｃ，７Ｒの停止操作によらずに自動的にリール３Ｌ，３Ｃ，３Ｒを停止させるための自動停止タイマが含まれる。ステップＳ１２では、全リールの回転開始を要求し、ステップＳ１３に移る。ステップＳ１３では、リール停止許可コマンドをセットし、ステップＳ１４に移る。
【０１４０】
ステップＳ１４では、ストップスイッチ（停止スイッチ）が“オン”か否か、すなわちいずれかの停止ボタン７Ｌ，７Ｃ，７Ｒが操作されたかどうかを判別する。この判別がＹＥＳのときは、ステップＳ１６に移り、ＮＯのときは、ステップＳ１５に移る。ステップＳ１５では、自動停止タイマの値が“０”であるか否かを判別する。この判別がＹＥＳのときは、ステップＳ１６に移り、ＮＯのときは、ステップＳ１４に移る。
【０１４１】
ステップＳ１６では、ステップＳ８で決定された停止テーブルと、内部当選役と、引込優先順位テーブル図１３とに基づいて滑りコマ数を決定する滑りコマ数決定処理を行い、ステップＳ１７に移る。ステップＳ１７では、ステップＳ１６で決定された滑りコマ数分、停止操作された停止ボタン７Ｌ，７Ｃ，７Ｒに対応するリール３Ｌ，３Ｃ，３Ｒが回転するのを待ち、ステップＳ１８に移る。
【０１４２】
ステップＳ１８では、リールの回転停止を要求し、ステップＳ１９に移る。ステップＳ１９では、リール停止コマンドをセットし、ステップＳ２０に移る。ステップＳ２０では、全てのリールが停止したか否かを判別する。この判別がＹＥＳのときは、図２０のステップＳ２１に移り、ＮＯのときは、ステップＳ１４に移る。
【０１４３】
ステップＳ２１では、表示役検索処理を行い、ステップＳ２２に移る。表示役検索処理は、図柄表示領域２１Ｌ，２１Ｃ，２１Ｒの図柄の停止態様に基づいて表示役（成立役）を識別するためのフラグをセットする処理である。ステップＳ２２では、表示役の情報を含む表示役コマンドをセットし、ステップＳ２３に移る。
【０１４４】
ステップＳ２３では、メダル払出処理を行い、ステップＳ２４に移る。ステップＳ２４では、払出終了コマンドをセットし、ステップＳ２５に移る。ステップＳ２５では、ＲＢ作動中フラグがオンであるか否かを判別する。この判別がＹＥＳのときは、ステップＳ２７に移り、ＮＯのときは、ステップＳ２６に移る。ＲＢ作動中フラグは、ＲＢ遊技状態であるか否かを識別するための情報であり、ＲＢ遊技状態であるときにオンであり、ＲＢ遊技状態でないときに“オフ”である。
【０１４５】
ステップＳ２６では、ＲＢ作動チェック処理を行い、図１８のステップＳ２に移る。ＲＢ作動チェック処理では、表示役がＲＢであればＲＢ作動時処理を行う。ステップＳ２７では、ＲＢ終了チェック処理を行い、図１８のステップＳ２に移る。ＲＢ終了チェック処理では、ＲＢ遊技状態におけるゲーム回数（遊技回数）が遊技可能回数（例えば、８回）を越えたか否か、およびＲＢ遊技状態における役の成立回数が入賞可能回数（例えば、８回）を越えたか否かを判別する。少なくともいずれか一方の回数が越えたと判別した場合には、ＲＢ遊技状態を終了させる。
【０１４６】
図２１を参照して、遊技状態監視処理について説明する。
【０１４７】
初めに、ＣＰＵ３１は、ＲＢ作動中フラグがオンであるか否かを判別する（ステップＳ３１）。この判別がＹＥＳのときは、ステップＳ３２に移り、ＮＯのときは、ステップＳ３３に移る。ステップＳ３２では、遊技状態としてＲＢ遊技状態をセットし、図１８のステップＳ６に移る。ステップＳ３３では、一般遊技状態をセットし、図１８のステップＳ６に移る。遊技状態監視処理でセットされた遊技状態に基づいて内部当選役の決定が行われる。
【０１４８】
ステップＳ３３では、持越役がセットされているか否かを判別する。この判別がＹＥＳのときは、ステップＳ３４に移り、ＮＯのときは、ステップＳ３５に移る。持越役は、後述の内部抽選処理でセットされる。ステップＳ３４では、ＲＢ内部当選状態をセットし、図１８のステップＳ６に移る。ステップＳ３５では、一般遊技状態をセットし、図１８のステップＳ６に移る。遊技状態監視処理でセットされた遊技状態に基づいて内部当選役の決定が行われる。
【０１４９】
図２２および図２３を参照して、内部抽選処理について説明する。
【０１５０】
初めに、ＣＰＵ３１は、内部抽選テーブル決定テーブル（図１０）を参照して、上述の遊技状態監視処理においてセットされた遊技状態に基づいて、内部抽選テーブルの種別と抽選回数とを決定し（ステップＳ４１）、ステップＳ４２に移る。ステップＳ４２では、持越役格納領域（図１６）にセットされた値は“０”であるか否か、すなわち持越役がないか否かを判別する。この判別がＹＥＳのときは、ステップＳ４４に移り、ＮＯのときは、ステップＳ４３に移る。ステップＳ４３では、抽選回数を“４”に変更し、ステップＳ４４に移る。
【０１５１】
ステップＳ４４では、ＣＰＵ３１は、ステップＳ４１あるいはＳ４２で決定された抽選回数と同じ値を当選番号としてセットする。すなわち、一般遊技状態では“６”、ＲＢ遊技状態では“３”、持越状態では“４”を、当選番号としてセットし、ステップＳ４５に移る。ステップＳ４５では、上述のステップＳ４１で決定した内部抽選テーブル（図１１）を参照して、セットされた当選番号と、メダルの投入枚数の値に対応する下限値Ｌを取得し、ステップＳ４６に移る。ステップＳ４６では、乱数値Ｒから下限値Ｌを減算（Ｒ−Ｌ）し、ステップＳ４７に移る。
【０１５２】
ステップＳ４７では、ＣＰＵ３１は、ステップＳ４６における減算の結果、桁かりが行われたか否かを判別する。すなわち、乱数値Ｒより下限値Ｌの方が大きい（Ｒ＜Ｌ）か否かを判別する。この判別がＹＥＳのときは、ステップＳ５６に移り、ＮＯのときは、ステップＳ４８に移る。ステップＳ４８では、Ｓ４１で決定された内部抽選テーブル（図１１）を参照して、セットされた当選番号と、メダルの投入枚数の値に対応する上限値Ｕを取得し、ステップＳ４９に移る。ステップＳ４９では、乱数値Ｒから上限値Ｕを減算（Ｒ−Ｕ）し、ステップＳ５０に移る。
【０１５３】
ステップＳ５０では、ＣＰＵ３１は、ステップＳ４９における減算の結果得られた値が“０”であるか否かを判別する。すなわち、乱数値Ｒは上限値Ｕと等しい（Ｒ＝Ｕ）か否かを判別する。この判別がＹＥＳのときは、ステップＳ５２に移り、ＮＯのときは、ステップＳ５１に移る。ステップＳ５１では、ステップＳ４９における減算の結果、桁かりが行われたか否かを判別する。すなわち、乱数値Ｒより上限値Ｕの方が大きい（Ｒ＜Ｕ）か否かを判別する。この判別がＹＥＳのときは、ステップＳ５２に移り、ＮＯのときは、ステップＳ５６に移る。
【０１５４】
ステップＳ５２では、ＣＰＵ３１は、内部当選役決定テーブル（図１２）を参照し、当選番号に基づいて内部当選役１と、内部当選役２とを決定し、ステップＳ５３に移る。ステップＳ５３では、ステップＳ５２で決定された内部当選役２と、内部当選役２格納領域（図１５）との論理和を内部当選役２格納領域に格納し、内部当選役２格納領域に当選した小役の種類に応じたビットを立て、ステップＳ５４に移る。ステップＳ５４では、ステップＳ５２で決定された内部当選役１と、ボーナスチェックデータ（０００００１１０）との論理積をとり、これと持越役格納領域（図１６）との論理和を持越役格納領域に格納し、ステップＳ５５に移る。これにより、決定されたＢＢ１またはＢＢ２が持越役格納領域に格納される。ステップＳ５５では、内部当選役１と持越役格納領域の論理和を内部当選役１格納領域（図１４）に格納し、内部当選役１格納領域に当選したボーナスまたはリプレイに応じたビットを立てて、ステップＳ５６に移る。
【０１５５】
ステップＳ５６では、ＣＰＵ３１は、抽選回数を“１”減算し、ステップＳ５７に移る。ステップＳ５７では、抽選回数は“０”であるか否かを判別する。この判別がＮＯのときは、ステップＳ４４に移り、ＹＥＳのときは、ステップＳ５８に移る。ステップＳ５８では、内部当選役決定テーブルを参照して、当選番号“０”に基づき内部当選役１および内部当選役２を決定し、ステップＳ５９に移る。ステップＳ５９では、ステップＳ５８で決定された内部当選役２と、内部当選役２格納領域との論理和を内部当選役２格納領域に格納し、ステップＳ６０に移る。ステップＳ６０では、内部当選役１と、ボーナスチェックデータとの論理積をとり、この結果と、持越役格納領域との論理和を持越役格納領域に格納し、ステップＳ６１に移る。ステップＳ６１では、内部当選役１と、持越役格納領域との論理和を内部当選役１格納領域し、内部当選役１格納領域にハズレまたは持ち越されているボーナスをセットし、図１８のステップＳ７に移る。
【０１５６】
図２４に示すフローチャートを参照して、音・ランプ制御回路（ｍＳｕｂ）７２ｂの、音・ランプ制御マイコン９１による報知ランプ制御処理について説明する。
【０１５７】
初めに、音・ランプ制御マイコン９１は、主制御回路７１からの、遊技状態および内部当選状態コマンドを受信したか否かを判別する（ステップＳ７１）。ステップＳ７２では、遊技状態が持越状態であるか否かを判別する。この判別がＹＥＳのときは、ステップＳ７３に移り、ＮＯのときは、ステップＳ７４に移る。ステップＳ７３では、内部当選役として、ＲＢと小役とが同時に当選したか否かを判別する。この判別がＹＥＳのときは、ステップＳ７５に移り、ＮＯのときは、ステップＳ７６に移る。ステップＳ７４では、内部当選役として、小役が当選したか否かを判別する。この判別がＹＥＳのときは、ステップＳ７７に移り、ＮＯのときはステップＳ７８に移る。
【０１５８】
ステップＳ７５では、音・ランプ制御マイコン９１は、同時当選報知ランプ１１０Ｒを点灯させ、ステップＳ７８に移る。ステップＳ７６では、ボーナス報知ランプ１１０Ｌを点灯させ、ステップＳ７８に移る。ステップＳ７７では、小役報知ランプ１１０Ｃを点灯させ、ステップＳ７８に移る。
【０１５９】
ステップＳ７８では、音・ランプ制御マイコン９１は、主制御回路７１からの全リール停止コマンドを受信したか否かを判別する。この判別がＹＥＳのときは、ステップＳ７９に移り、ＮＯのときは、ステップＳ７８に移る。ステップＳ７９では、報知ランプ１１０Ｌ，１１０Ｃ，１１０Ｒを消灯し、ステップＳ７１に移る。
【０１６０】
以上、実施例について説明したが、本発明はこれに限られるものではない。
【０１６１】
実施例では、役に対応する数値範囲は連続した値としているが、これに限られるものではない。例えば、数値範囲は、連続しない複数の値を含むものとしてよい。
【０１６２】
更に、本実施例のような遊技機１の他、パチンコ遊技機、パチロット等の他の遊技機にも本発明を適用できる。さらに、上述の遊技機１での動作を家庭用ゲーム機用として擬似的に実行するようなゲームプログラムにおいても、本発明を適用してゲームを実行することができる。その場合、ゲームプログラムを記録する記録媒体は、ＣＤ−ＲＯＭ、ＦＤ（フレキシブルディスク）、その他任意の記録媒体を利用できる。
【図面の簡単な説明】
【０１６３】
【図１】外観を示す斜視図。
【図２】パネル表示部、液晶表示部および固定表示部を示す図。
【図３】装飾パネルを示す図。
【図４】液晶表示装置の概略構成を示す斜視図。
【図５】リール上に配列された図柄の例を示す図。
【図６】電気回路の構成を示すブロック図。
【図７】実施例の副制御回路の構成を示すブロック図。
【図８】各遊技状態の発生条件、移行条件および移行先遊技状態を示す図。
【図９】役と図柄組合せと払出枚数との関係を示す図。
【図１０】内部抽選テーブル決定テーブルを示す図。
【図１１】内部抽選テーブルを示す図。
【図１２】内部当選役決定テーブルを示す図。
【図１３】引込優先順位テーブルを示す図。
【図１４】内部当選役１格納領域を示す図。
【図１５】内部当選役２格納領域を示す図。
【図１６】持越役格納領域を示す図。
【図１７】装飾パネルの動作を示すタイミングチャート。
【図１８】主制御回路のメインフローチャート。
【図１９】図１８に続くフローチャート。
【図２０】図１９に続くフローチャート。
【図２１】遊技状態監視処理を示すフローチャート。
【図２２】内部抽選処理を示すフローチャート。
【図２３】図２２に続くフローチャート。
【図２４】報知ランプ制御処理を示すフローチャート。
【符号の説明】
【０１６４】
１    遊技機
２ｂ    液晶表示部
３Ｌ，３Ｃ，３Ｒ    リール
６    スタートレバー
７Ｌ，７Ｃ，７Ｒ    停止ボタン
１７    操作部
３０    マイクロコンピュータ
３１    ＣＰＵ
３２    ＲＯＭ
３３    ＲＡＭ
７１    主制御回路
７２    副制御回路
７２ｂ    音・ランプ制御回路
９１    音・ランプ制御マイコン
８３    プログラムＲＯＭ
８４    ワークＲＡＭ
【図１】
2007029474.tif 000003
【図２】
2007029474.tif 000004
【図３】
2007029474.tif 000005
【図４】
2007029474.tif 000006
【図５】
2007029474.tif 000007
【図６】
2007029474.tif 000008
【図７】
2007029474.tif 000009
【図８】
2007029474.tif 000010
【図９】
2007029474.tif 000011
【図１０】
2007029474.tif 000012
【図１１】
2007029474.tif 000013
【図１２】
2007029474.tif 000014
【図１３】
2007029474.tif 000015
【図１４】
2007029474.tif 000016
【図１５】
2007029474.tif 000017
【図１６】
2007029474.tif 000018
【図１７】
2007029474.tif 000019
【図１８】
2007029474.tif 000020
【図１９】
2007029474.tif 000021
【図２０】
2007029474.tif 000022
【図２１】
2007029474.tif 000023
【図２２】
2007029474.tif 000024
【図２３】
2007029474.tif 000025
【図２４】
2007029474.tif 000026